(57)【要約】本発明は、複数の容器（Ａ）に適応した頂部把持タイプのカートンと、そのようなカートンを形成するためのブランクと、に関するものである。カートンは、筒状構造とされ、互いに離間する第１パネル（１６）と第２パネル（１２，２０）とを具備し、第１パネルは、各容器を受領するための開口と、各容器の一部に対して係合し得るよう第１パネルに対して折曲可能に連結された保持タブ（５２ａ）と、を備えている。保持構造（３０）が、第２パネル（１２，２０）から形成されている。この保持構造は、係合パネル（３４）を備え、この係合パネルは、第１パネル（１６）に対しての第２パネル（１２，２０）の移動を制限し得るよう、容器の少なくとも１つに対しておよび／または保持タブの少なくとも１つに対して係合するための係合エッジ（４２ａ）を有している。
2005500213.tif 000002
【特許請求の範囲】
【請求項１】
複数の容器に適応した頂部把持タイプのカートンであって、
筒状構造とされているとともに、互いに離間している第１パネルと第２パネルとを具備し、
前記第２パネルが、互いにオーバーラップしている内側パネルと外側パネルとを備え、
前記第１パネルが、各容器を受領するための開口を備え、
前記第１パネルには、前記各容器の一部に対して係合し得る折曲可能な保持タブが、折曲可能に連結され、
さらに、前記第２パネルの前記内側パネルから形成される保持構造を具備し、
この保持構造が、前記各容器の少なくとも１つに対して係合するための係合エッジを有した係合パネルを備え、
前記保持構造には、前記容器の一部を受領するための開口が設けられ、
前記係合エッジが、前記開口のエッジによって形成されていることを特徴とするカートン。
【請求項２】
請求項１記載のカートンにおいて、
前記係合パネルが、さらに、前記第１パネルに対しての前記第２パネルの移動を制限し得るよう、前記保持タブの少なくとも１つに対して係合するための係合エッジを有していることを特徴とするカートン。
【請求項３】
請求項１または２記載のカートンにおいて、
前記開口の各々が、前記第１パネルから切り出された一対の保持タブによって規定され、
前記各対をなす保持タブが、実質的に対向して位置関係で配置されていることを特徴とするカートン。
【請求項４】
請求項１〜３のいずれか１項に記載のカートンにおいて、
前記保持タブの少なくとも１つが、前記容器の径方向張出部分にまで前記係合エッジを到達させ得るよう、前記係合パネルの前記保持エッジを受領するための浅いノッチを有していることを特徴とするカートン。
【請求項５】
請求項１〜４のいずれか１項に記載のカートンにおいて、
前記係合パネルが、前記開口内へと延出された係合タブを有し、
この係合タブが、前記係合エッジを有していることを特徴とするカートン。
【請求項６】
請求項１〜５のいずれか１項に記載のカートンにおいて、
前記係合エッジが、前記第２パネルから離間していることを特徴とするカートン。
【請求項７】
請求項１〜６のいずれか１項に記載のカートンにおいて、
前記係合パネルが、隣り合う容器どうしの間の相対移動を最小化し得るよう、それら隣り合う容器どうしの間に配置されていることを特徴とするカートン。
【請求項８】
請求項７記載のカートンにおいて、
前記保持構造が、さらに、前記係合パネルを前記第２パネルに対して折曲可能に連結するためのコネクタパネルを備えていることを特徴とするカートン。
【請求項９】
筒状の頂部把持型キャリアであって、
互いにオーバーラップしている内側パネルと外側パネルとを備えた頂壁パネルを具備し、
前記内側パネルから形成される保持構造を具備し、
この保持構造が、ネック付き物品の径方向張出部分の下面に対して係合し得るものとされ、
前記保持構造が、前記物品の前記径方向張出部分の一部を受領するための開口を備え、
前記開口の下側エッジが、前記径方向張出部分の下面のための係合エッジを備え、
前記保持構造が、前記内側パネルの自由エッジに対して折曲可能に連結されかつ前記内側パネルのその自由エッジから下向きに延在するコネクタパネルと、このコネクタパネルの下側エッジに対して折曲可能に連結された係合パネルと、を備え、
前記開口が、前記コネクタパネル内において少なくとも部分的に形成されていることを特徴とするキャリア。
【請求項１０】
請求項９記載キャリアにおいて、、
前記係合パネルが、前記開口内へと延出された係合タブを有し、
この係合タブが、前記係合エッジを有していることを特徴とするキャリア。
【請求項１１】
請求項９または１０記載のキャリアにおいて、
前記保持構造が、前記物品の隣接した列どうしの間に配置されるスペーサストリップを備え、
このスペーサストリップが、１つの列をなす物品と係合するための１つのサイドエッジと、他の列をなす物品と係合するための他のサイドエッジと、を有していることを特徴とするキャリア。
【請求項１２】
請求項１１記載のキャリアにおいて、
前記コネクタパネルが、このコネクタパネルの下側エッジのところにおいて、前記スペーサストリップの前記サイドエッジの一部に対して、折曲可能に連結されていることを特徴とするキャリア。
【請求項１３】
頂部把持タイプのカートンを形成するための一体型ブランクであって、
筒状構造を形成するための複数のパネルを具備し、
これら複数のパネルが、第１パネルと第２パネルとを具備し、
前記第１パネルが、この第１パネルに対して折曲可能に連結された折曲可能な保持タブをこの第１パネルがなす全体的平面から折り曲げることによって、部分的に形成される複数の開口を備え、
前記第２パネルが、中間介在パネルの分だけ前記第１パネルから離間したものとされ、
さらに、前記第２パネルから、保持構造が形成され、
この保持構造が、組立状態において物品の径方向張出部分の少なくとも一部を受領するための開口を備え、
この開口の下側エッジが、前記径方向張出部分の下面に対して係合するための係合エッジを有し、
外側頂壁パネルが、前記中間介在パネルの分だけ前記第１パネルから離間して配置され、これにより、組立状態においては、この外側頂壁パネルが、前記第２パネルに対してオーバーラップするようになっていることを特徴とするブランク。
【請求項１４】
カートンを形成するためのブランクであって、
請求項１〜１２のいずれか１項に記載されたカートンを形成するためのものであることを特徴とするブランク。
【請求項１５】
少なくとも１つの容器と筒状の頂部把持型キャリアとを具備してなるパッケージであって、
前記容器が、実質的に円筒形の上部と、前記上部から径方向に張り出した頂部張出部分と、を備え、
前記頂部把持型キャリアが、複数の容器に適応した筒状の頂部把持タイプのものであるとともに、互いにオーバーラップした内側パネルおよび下側パネルを有してなる頂壁パネルと、前記容器を受領するための開口を有してなる底壁パネルと、前記容器の前記径方向張出部分に対して係合し得るようにして前記底壁パネルに対して連結された少なくとも１つの折曲可能保持タブと、を備え、
保持構造が、前記内側パネルから形成され、
この保持構造が、ネック付き物品の径方向張出部分および／または１つまたは複数の保持タブの下面に対して係合し得るものとされ、
前記保持構造が、前記物品の前記径方向張出部分の少なくとも一部を受領するための開口を備え、
この開口の下側エッジが、前記径方向張出部分および／または前記タブの下面に対して係合するための係合エッジを有していることを特徴とするパッケージ。
【請求項１６】
請求項１５記載のパッケージにおいて、
前記保持構造が、前記内側パネルの自由エッジに対して折曲可能に連結されかつ前記内側パネルのその自由エッジから下向きに延在するコネクタパネルと、このコネクタパネルの下側エッジに対して折曲可能に連結された係合パネルと、を備え、
前記開口が、前記コネクタパネル内において少なくとも部分的に形成されていることを特徴とするパッケージ。
【請求項１７】
請求項１６記載のパッケージにおいて、
前記係合パネルが、前記開口内へと延出された係合タブを有し、
この係合タブが、前記係合エッジを有していることを特徴とするパッケージ。
【請求項１８】
請求項１７記載のパッケージにおいて、
前記係合パネルが、隣り合う容器どうしの間の相対移動を最小化し得るよう、それら隣り合う容器どうしの間に配置されていることを特徴とするパッケージ。
【請求項１９】
パッケージを形成するためのブランクであって、
請求項１５〜１８のいずれか１項に記載されたパッケージを形成するためのものであることを特徴とするブランク。
【発明の詳細な説明】
【技術分野】
【０００１】
本発明は、例えば複数の瓶といったような複数の物品をパッケージングし得るよう形成されたカートンに関するものである。より詳細には、本発明は、複数の物品の頂部に取り付けてそれら物品をアレイ状に固定するようなカートンに関するものである。
【背景技術】
【０００２】
複数のいわゆる『サンバースト型』開口を備えてた頂部把持型カートンが、公知である。そのような開口は、周縁に配置された一連をなす複数のタブを有している。瓶の頂部は開口を貫通することができ、その際、それらタブは、瓶頂部の下面に対して、あるいは、瓶ネック部のフランジに対して、係合する。これにより、開口からの瓶の抜け出しが防止されるようになっている。いわゆる『王冠コルク』を使用してシールされている瓶に対して、そのようなサンバーストタイプの開口を適用したときには、問題点が発生する。その場合、タブが瓶頂部の下面に対して係合する位置が、瓶ネック部のところにまで上がってしまい、カートンを不安定なものとする。さらに、カートン内において複数の瓶が不安定であることのためにタブが脆弱化してしまい、タブの有効性が低減する。
【０００３】
米国特許第３，７７２，９４５号明細書においては、頂壁パネルが複数の保持タブを備えることによって、キャリア内に収容された物品の頂部を支持するようになっている、キャリアが開示されている。
【０００４】
他の例は、欧州特許出願公開第９８９１８２９０．２号明細書に示されており、この例においては、例えば複数の瓶といったような複数の容器を収容し得るような頂部把持型カートンが開示されている。このカートンは、筒状構造をなすであって、複数の開口を有した第１パネルを備えている。複数の開口の各々は、少なくとも１つの折曲可能タブを有している。これらタブは、互いに協働して、開口内に存在する容器の径方向張出部分の下面に対して係合する。このカートンは、さらに、第１パネルから離間したところに第２パネルを備えている。第２パネルは、この第２パネルから切り出された保持タブを有している。この保持タブは、主部と、肩部と、を有している。肩部のエッジも、また、容器の径方向張出部分の下面に対して係合し、これにより、容器の頂部に対しての第２パネルの移動が制限されている。主部は、互いに隣り合った一対をなす容器どうしの間に配置され、それら容器どうしの相対移動を最小化している。
【０００５】
この手法に関する１つの問題点は、複数の保持タブを折り曲げるために、複雑な折曲構成が必要とされることである。
【０００６】
従来技術に関する他の問題点は、複数の瓶を支持するために、頂部把持型カートンが、十分な強度を有したものである必要があることである。剛直な構造であれば、この問題点を克服するであろう。しかしながら、それ自体によって難点がもたらされる。特に、頂壁パネルおよび／または底壁パネルに関しては、複数の瓶を支持するに対しての、必要とされた剛性や十分な強度をもたらすことができない。
【特許文献１】
米国特許第３，７７２，９４５号明細書
【特許文献２】
欧州特許出願公開第９８９１８２９０．２号明細書
【発明の開示】
【課題を解決するための手段】
【０００７】
本発明および本発明の好ましい実施形態は、頂壁と底壁との双方が瓶のフランジに対して係合しているとともに簡単に形成し得るようなボックス構造を提供することによって、従来技術における問題点を解決する。頂壁パネルと底壁パネルとを離間状態に維持するための付加的な支持力を付与するとともに、パネルどうしを多層化することによって、付加的な強度を付与する。したがって、複数の瓶を保持するのに必要な強度を低減することなく、厚紙の厚さを薄くすることができる。
【０００８】
本発明の１つの見地においては、複数の容器に適応した頂部把持タイプのカートンであって、筒状構造とされているとともに、互いに離間している第１パネルと第２パネルとを具備したカートンを提供する。第１パネルは、容器を受領するための１つまたは複数の開口と、各容器の一部に対して係合し得るようこの第１パネルに対して折曲可能に連結された保持タブと、を備えている。さらに、第２パネルから形成される保持構造を具備し、この保持構造は、第１パネルに対しての第２パネルの移動を制限し得るよう、容器の少なくとも１つに対しておよび／または保持タブの少なくとも１つに対して係合するための係合エッジを有している。
【０００９】
各開口は、第１パネルから切り出された一対の保持タブによって規定され、保持タブは、実質的に対向して位置関係で配置されている。
【００１０】
本発明のこの見地における付加的な特徴点においては、少なくとも１つの保持タブは、容器の径方向張出部分にまで係合エッジを到達させ得るよう、係合パネルの保持エッジを受領するための浅いノッチを有することができる。
【００１１】
本発明のこの見地における第２の付加的な特徴点においては、保持構造には、容器の一部を受領するための開口を設けることができ、係合エッジは、この開口のエッジから形成することができる。好ましくは、係合パネルは、開口内へと延出された係合タブを有することができ、この係合タブは、係合エッジを有することができる。
【００１２】
本発明のこの見地における他の付加的な特徴点においては、係合エッジは、頂壁パネルから離間させることができる。
【００１３】
本発明のこの見地における他の付加的な特徴点においては、係合パネルは、隣り合う容器どうしの間の相対移動を最小化し得るよう、それら隣り合う容器どうしの間に配置することができる。好ましくは、保持構造は、さらに、係合パネルを第２パネルに対して折曲可能に連結するためのコネクタパネルを備えることができる。
【００１４】
本発明の第２の見地においては、筒状の頂部把持型キャリアであって、互いにオーバーラップしている内側パネルと外側パネルとを備えた頂壁パネルを具備し、内側パネルから形成される保持構造を具備し、この保持構造が、ネック付き物品の径方向張出部分の下面に対して係合し得るものとされているような、キャリアを提供する。保持構造は、物品の径方向張出部分の一部を受領するための開口を備え、この開口の下側エッジは、径方向張出部分の下面のための係合エッジを備えている。
【００１５】
好ましくは、保持構造は、内側パネルの自由エッジに対して折曲可能に連結されかつ内側パネルのその自由エッジから下向きに延在するコネクタパネルと、このコネクタパネルの下側エッジに対して折曲可能に連結された係合パネルと、を備えることができ、開口は、コネクタパネル内において少なくとも部分的に形成することができる。
【００１６】
より好ましくは、係合パネルは、開口内へと延出された係合タブを有することができ、この係合タブは、係合エッジを有することができる。
【００１７】
本発明の第３の見地においては、例えば複数の瓶といったような複数の物品のための筒状の頂部把持型キャリアであって、互いにオーバーラップしている内側パネルと外側パネルとを備えた頂壁パネルを具備し、内側パネルから形成される保持構造を具備し、この保持構造が、物品の隣接した列どうしの間に配置されるスペーサストリップを備え、このスペーサストリップが、１つの列をなす物品と係合するための１つのサイドエッジと、他の列をなす物品と係合するための他のサイドエッジと、を有しているような、キャリアを提供する。
【００１８】
好ましくは、保持構造は、さらに、内側パネルの自由エッジから下向きに延在するコネクタパネルを備えることができ、このコネクタパネルは、このコネクタパネルの下側エッジのところにおいて、スペーサストリップのサイドエッジの一部に対して、折曲可能に連結される。
【００１９】
本発明の第４の見地においては、頂部把持タイプのカートンを形成するための一体型ブランクであって、筒状構造を形成するための複数のパネルを具備し、これら複数のパネルは、第１パネルと第２パネルとを具備し、第１パネルは、この第１パネルに対して折曲可能に連結された折曲可能な保持タブをこの第１パネルがなす全体的平面から折り曲げることによって、部分的に形成される複数の開口を備え、第２パネルは、中間介在パネルの分だけ第１パネルから離間したものとされ、さらに、第２パネルから、保持構造が形成され、この保持構造は、組立状態において物品の径方向張出部分の少なくとも一部を受領するための開口を備え、この開口の下側エッジが、径方向張出部分の下面に対して係合するための係合エッジを有しているような、ブランクを提供する。
【００２０】
本発明の第５の見地においては、少なくとも１つの容器と筒状の頂部把持型キャリアとを具備してなるパッケージであって、容器は、実質的に円筒形の上部と、上部から径方向に張り出した頂部張出部分と、を備え、頂部把持型キャリアは、複数の容器に適応した筒状の頂部把持タイプのものであるとともに、互いにオーバーラップした内側パネルおよび下側パネルを有してなる頂壁パネルと、容器を受領するための開口を有してなる底壁パネルと、容器の径方向張出部分に対して係合し得るようにして底壁パネルに対して連結された少なくとも１つの折曲可能保持タブと、を備え、保持構造は、内側パネルから形成され、この保持構造は、ネック付き物品の径方向張出部分および／または１つまたは複数の保持タブの下面に対して係合し得るものとされ、保持構造は、物品の径方向張出部分の少なくとも一部を受領するための開口を備え、この開口の下側エッジは、径方向張出部分および／またはタブの下面に対して係合するための係合エッジを有しているような、パッケージを提供する。
【００２１】
好ましくは、保持構造は、内側パネルの自由エッジに対して折曲可能に連結されかつ内側パネルのその自由エッジから下向きに延在するコネクタパネルと、このコネクタパネルの下側エッジに対して折曲可能に連結された係合パネルと、を備えることができ、開口は、コネクタパネル内において少なくとも部分的に形成することができる。
【００２２】
好ましくは、係合パネルは、開口内へと延出された係合タブを有することができ、この係合タブは、係合エッジを有することができる。より好ましくは、係合パネルは、隣り合う容器どうしの間の相対移動を最小化し得るよう、それら隣り合う容器どうしの間に配置することができる。
【発明を実施するための最良の形態】
【００２３】
以下においては、例示の目的にために、添付図面を参照しつつ、本発明の例示としてのいくつかの実施形態について説明する。
【００２４】
特に図１に示すように、カートンを形成するためのブランク（１０）は、厚紙等の折曲可能なシート材料から形成されている。この実施形態においては、ブランク（１０）は、一体的ブランクとされている。しかしながら、本発明の範囲を逸脱することなく、２つ以上のブランクを使用することも想定される。ブランク（１０）は、頂部把持タイプの筒状カートンを形成するための複数のパネルを備えている。すなわち、ブランク（１０）は、内側頂壁パネル（１２）と、第１側壁パネル（１４）と、底壁パネル（１６）と、第２側壁パネル（１８）と、外側頂壁パネル（２０）と、から形成されており、これらパネルは、隣り合うパネルどうしが、それぞれ折曲線（２２，２４，２６，２８）に沿って順次的に折曲可能に連結されている。
【００２５】
ブランク（１０）は、さらに、保持構造（３０）を備えている。この保持構造（３０）は、１つ以上の隣り合う物品を保持するとともに、頂壁パネルと底壁パネルとを互いに離間した状態に支持しつつ、さらに、物品に対して係合するパネルを多層化することによって付加的な強度をもたらす。この実施形態においては、保持構造（３０）は、折曲線（３２）に沿って内側頂壁パネル（１２）に対して折曲可能に連結されている。保持構造を個別のブランクから形成し、さらに、そのような保持構造を、外側ブランクに対して固定または折曲可能に連結することも想定される。
【００２６】
保持構造の構成について説明すれば、保持構造は、詳細に後述するような、物品の一部を受領するための１つ以上の開口（４０ａ，４０ｂ）を備えている。好ましくは、このような開口は、物品の一部に対して係合するための係合エッジ（４２ａ，４２ｂ）を有している。いくつかの実施形態においては、開口内へと延出された係合タブが設けられている。このような係合タブは、係合エッジをなす。
【００２７】
この実施形態においては、保持構造は、コネクタパネル（３６）によって形成されている。コネクタパネル（３６）は、内側頂壁パネル（１２）に対して折曲可能に連結されている。係合パネル（３４）が、コネクタパネル（３６）の反対側エッジに対して折曲可能に連結されている。２つの開口（４０ａ，４０ｂ）は、コネクタパネルから少なくとも部分的に切り出されており、付加的には、係合パネル（３４）内へと延出されている。
【００２８】
ブランク（１０）は、さらに、底壁パネル（１６）から切り出された１つ以上の保持タブ（５０）を備えている。詳細に後述するように、各保持タブ（５０）を使用することによって、物品の一部に対して係合することができる。
【００２９】
一対をなす保持タブ（５０ａ）の構成について詳述すれば、保持タブ（５０ａ）は、底壁パネル（１６）から切り出されているとともに折曲線（２４）に沿って底壁パネル（１６）に対して折曲可能に連結されているタブ（５２ａ）を有している。このタブ（５２ａ）の先端エッジは、底壁パネル（１６）の内方側に延在している。タブ（５２ａ）は、互いに反対側に位置した一対のサイドエッジ（６２ａ，６４ａ）を有している。これらサイドエッジ（６２ａ，６４ａ）は、先端エッジ（５２）に対して外向きに湾曲することができる。このため、先端エッジ（５２）は、底壁パネル（１６）に対して連結されているエッジよりも長いものとすることができる。これにより、物品に対しての係合性を向上させることができる。
【００３０】
第２タブ（５４ａ）は、折曲線（５６ａ）に沿って底壁パネル（１６）に対して折曲可能に連結されている。好ましくは、折曲線（５６ａ）は、底壁パネル（１６）の中央領域に配置されている。タブ（５４ａ）は、先端エッジ（６０ａ）をタブ（５２ａ）の先端エッジに対して並置させつつ、タブ（５２ａ）に対向して配置されている。同様に、両サイドエッジは、先端エッジ（６０ａ）に向けて外向きに湾曲している。タブ（５２ａ，５４ａ）は、これらタブ（５２ａ，５４ａ）を組み立てた状態においては、図２に示すように、開口（７０）を形成する。
【００３１】
ある種の実施形態においては、１つ以上のタブ（５２，５４）の中央部分から切り出された長尺凹所（５８ａ）を有することができ、これにより、各先端エッジに沿って、小さなノッチをもたらすことができる。
【００３２】
さらなる対をなす保持タブ（５０ｂ，５０ｃ，５０ｄ）は、第１対をなす保持タブ（５０ａ）と実質的に同じ構成である。よって、詳細な説明を省略する。
【００３３】
カートンの構成に関しては、図２，３，４に示すように、ブランクは、一連の順次的折曲操作および接着操作を必要とし、このような操作は、直線状機械内において達成することができる。そのため、カートンの組立に際しては、カートンを、回転させたりあるいはひっくり返したりする必要がない。折曲プロセスは、後述のプロセスに限定されるものではなく、特定の製造要求に応じて変更することができる。
【００３４】
複数の物品“Ａ”は、互いにアレイ状をなすようにしてグループ分けされる。この実施形態においては、瓶“Ａ”を、２行２列で配置しており、ブランク（１０）は、従来技術において周知なように、連続的前向き搬送時に、複数の瓶“Ａ”とブランク（１０）との間の相対的鉛直方向移動によって、物品グループに対して上方から導入する。
【００３５】
保持タブ（５２ａ，５４ａ）からなる各対（５０ａ，５０ｂ，５０ｃ，５０ｄ）を、それぞれ対応する折曲線（２４，５６ａ）に沿って、底壁パネル（１６）がなす全体的平面の外部へと、折り曲げることにより、図２に示すような複数の物品受領開口（７０）を形成することができる。各瓶の頂部すなわちネック部を、各開口内へと挿入し、その場合、保持タブ（５２ａ，５４ａ）の各先端エッジ（６０ａ）は、例えばそれぞれ対応する王冠コークの径方向張出部分といったようなところにおいて、物品に対して当接する。これにより、各瓶“Ａ”は、各開口に係合することとなる。付加的には、各物品受領開口のエッジは、各瓶“Ａ”のネック部に対して係合し、付加的な支持をもたらす。
【００３６】
この実施形態においては、各タブ（５４ａ）の先端エッジ内に形成されたノッチ（５８ａ）が、各物品“Ａ”の下面に対して係合する。このようなノッチを使用することは、タブをより正確に位置決めできることにより、および／または、従来のタブと比較して物品の下面に対してより強力に当接し得るようなタブをもたらし得ることにより、有利である。
【００３７】
側壁パネル（１４）を、Ｘ方向において折曲線（２４）回りに折り曲げ、内側頂壁パネル（１２）を、Ｘ方向において折曲線（２２）回りに折り曲げる。これにより、内側頂壁パネル（１２）は、隣り合う物品どうしの頂部上に配置され、底壁パネル（１６）に対して実質的に平行な位置関係かつ底壁パネル（１６）から離間した位置関係となる。
【００３８】
その後、保持構造（３０）を形成する。すなわち、図３に示すように、コネクタパネル（３６）と係合パネル（３４）とを、内側頂壁パネル（１２）に対して折り曲げる。これにより、開口（４０ａ，４０ｂ）を露出させて、各物品の張出部分を各開口内に挿入し、係合エッジ（４２ａ，４２ｂ）によって係合させる。係合パネル（３４）を、図３に示すように、隣接物品の径方向張出部分どうしの下面側へと押し込む。これにより、自由端エッジ（７２）を、隣接物品に対して係合させる。
【００３９】
ある種の実施形態においては、係合エッジ（４２ａ，４２ｂ）と自由端エッジ（７２）とを、内側に位置した保持タブ（５４ａ，５４ｂ）に対して当接させ、それら保持タブ（５４ａ，５４ｂ）を所定位置に保持する。さらに、係合パネル（３４）は、ブレースとして機能し、カートンに対して剛性をもたらすことができて、隣接物品どうしの移動を低減することができる。いくつかの実施形態においては、係合パネル（３４）は、隣接物品“Ａ”どうしの間の干渉取付を形成し得るようなサイズとされる。
【００４０】
側壁パネル（１８）を、Ｙ方向において折曲線（２６）回りに折り曲げ、外側頂壁パネル（２０）を、Ｙ方向において折曲線（２８）回りに折り曲げる。これにより、外側頂壁パネル（２０）を、内側頂壁パネル（１２）に対して当接した位置関係とすることができる。そして、内側頂壁パネル（１２）と外側頂壁パネル（２０）とを、接着剤や当該技術分野において周知な固定手法によって、互いに固定する。
【００４１】
これにより、カートンは、図４に示すような組立状態となる。図４は、筒状の頂部把持型キャリアを示しており、頂壁が、互いにオーバーラップしている内側頂壁パネル（１２）と外側頂壁パネル（２０）とから形成されているとともに、保持構造（３０）が、内側頂壁パネル（１２）から形成されていて、ネック付き物品（Ａ）の径方向張出部分の下面に対して係合しており、さらに、保持構造（３０）が、物品の径方向張出部分の少なくとも一部を受領するための開口（４０ａ）を有しており、開口（４０ａ）の下側エッジが、径方向張出部分の下面に対して係合するための係合エッジ（４２ａ）を有している。
【００４２】
本明細書において、例えば『頂』や『底』や『端』や『側』や『内』や『外』や『第１』や『第２』といったような向きを表す用語は、各パネルをそのような向きに限定するものではなく、各パネルを互いに区別するために使用されているに過ぎないことは、理解されるであろう。折曲可能な連結は、単一の折曲線だけによって構成し得るものではない。実際、折曲可能な連結は、本発明の範囲を逸脱することなく、切込線や切取線や折曲線の中の１つまたは複数のものから形成することができる。
【００４３】
本発明の範囲内において、多くの変形を行い得ることは、理解されるであろう。特に、当業者には、上述した保持構成を、例えば、巻付型カートンや、頂部把持型キャリアや、パッケージング対象をなすフランジ付き物品が接着剤や他の公知手段を使用することなく保持され得ることが必須とされた他のそのようなクリップといったような、様々なタイプのカートンに対して適用し得ることは、明らかであろう。保持構造やクリップの位置は、フランジ付き物品に応じて調整することができ、カートンの端部以外の場所とすることもできる。
【図面の簡単な説明】
【００４４】
【図１】本発明の一実施形態に基づくカートンを形成するための、非折曲状態での単一の厚紙製ブランクを示す平面図である。
【図２】図１のカートンブランクから部分的に組み立てられたカートンを示す図である。
【図３】図１のカートンブランクから部分的に組み立てられたカートンを示す図である。
【図４】図１のカートンブランクから形成されたカートンを示す図である。
【符号の説明】
【００４５】
１２    内側頂壁パネル（第２パネル）
１６    底壁パネル（第１パネル）
２０    外側頂壁パネル（第２パネル）
３０    保持構造
３４    係合パネル
３６    コネクタパネル
４０ａ  開口
４０ｂ  開口
４２ａ  係合エッジ
４２ｂ  係合エッジ
５０    保持タブ
５０ａ  保持タブ
５０ｂ  保持タブ
５０ｃ  保持タブ
５０ｄ  保持タブ
Ａ    瓶、物品（容器）
【国際公開パンフレット】
2005500213.tif 000003
2005500213.tif 000004
2005500213.tif 000005
2005500213.tif 000006
2005500213.tif 000007
2005500213.tif 000008
2005500213.tif 000009
2005500213.tif 000010
2005500213.tif 000011
2005500213.tif 000012
2005500213.tif 000013
2005500213.tif 000014
2005500213.tif 000015
2005500213.tif 000016
2005500213.tif 000017
2005500213.tif 000018
2005500213.tif 000019
2005500213.tif 000020
【国際調査報告】
2005500213.tif 000021
2005500213.tif 000022